(57)【要約】【課題】無駄な電力消費をすることなく、使い勝手の良い電動工具および集塵機連動機能付き電動工具システムを提供する。【解決手段】この電動工具１０は、駆動源であるモータを内部に収納するハウジング１２と、ハウジング１２に設置されることで操作者からの把持を受けるハンドル部１３と、モータからの駆動力を伝達されて駆動する工具１４と、別装置である集塵機４０とホース３０を介して接続するためのホース接続部２１と、を備え、運転動作に伴い連動指令を無線によって集塵機４０に送信することで、当該連動指令の受信によって連動運転を行う集塵機４０との無線連動運転を行う電動工具１０において、当該電動工具１０の運転動作に伴う連動指令の送信／非送信を選択できる連動指令ボタン１８ａ，１８ｂを有する連動選択パネル１８を設けたことを特徴とする。【選択図】図１
2018176315.tif 000002
【特許請求の範囲】
【請求項１】
駆動源であるモータを内部に収納するハウジングと、
前記ハウジングに設置されることで操作者からの把持を受けるハンドル部と、
前記モータからの駆動力を伝達されて駆動する工具と、
別装置である集塵機とホースを介して接続するためのホース接続部と、
を備え、
運転動作に伴い連動指令を無線によって前記集塵機に送信することで、当該連動指令の受信によって連動運転を行う前記集塵機との無線連動運転を行う電動工具において、
当該電動工具の運転動作に伴う連動指令の送信／非送信を選択できる連動指令ボタンを有する連動選択パネルを設けたことを特徴とする電動工具。
【請求項２】
請求項１に記載の電動工具において、
前記連動選択パネルは、連動指令の送信／非送信を選択できる連動指令ボタンの他に、当該電動工具の運転動作によらずに前記集塵機の運転動作指令を送信できる連続運転指令ボタンを含むことを特徴とする電動工具。
【請求項３】
請求項１又は２に記載の電動工具において、
当該電動工具は、電動丸鋸であって、
前記連動選択パネルは、前記ハンドル部の下方であって、前記ハウジングにおける前記ハンドル部が設置された箇所の上面の位置に配置されていることを特徴とする電動工具。
【請求項４】
請求項１又は２に記載の電動工具において、
当該電動工具は、電動丸鋸であって、
前記連動選択パネルは、前記ハンドル部の前方前面の位置に配置されていることを特徴とする電動工具。
【請求項５】
請求項１〜４のいずれか１項に記載の電動工具と、
前記電動工具が備える前記ホース接続部にホースを介して接続される集塵機と、
によって構成されることを特徴とする集塵機連動機能付き電動工具システム。
【発明の詳細な説明】
【技術分野】
【０００１】
本発明は、外付けされる集塵機と連動して運転動作を行うことのできる電動工具と、この電動工具と集塵機とによって構成される集塵機連動機能付き電動工具システムに関するものである。
【背景技術】
【０００２】
従来から、電動工具と集塵機をホースによって接続するとともに、電動工具側から無線送信される連動指令によって集塵機の運転動作を制御し、電動工具と集塵機が連動運転を行うシステムが公知である。
【０００３】
例えば、下記特許文献１に記載の無線連動システムにおける電動工具では、電動工具が運転動作を行うと常に運転信号が無線送信され、この運転信号を受信した集塵機が連動運転を行う構成が開示されている。また、下記特許文献２には、リモコン送信器とリモコン受信器とを用いた無線連動システムが開示されており、リモコン送信器は電動工具とは別体で構成されるとともに、リモコン受信器は集塵機に取り付けられている。そして、この無線連動システムでは、別体で構成されるリモコン送信器を操作者が操作することで、集塵機の動作制御を行う構成が採用されている。
【先行技術文献】
【特許文献】
【０００４】
【特許文献１】特許第４９５５３３２号公報
【特許文献２】特開２００４−７３６８３号公報
【発明の概要】
【発明が解決しようとする課題】
【０００５】
しかしながら、上掲した特許文献１に開示された無線連動システムでは、電動工具が運転動作を行うと常に運転信号が無線送信されるため、集塵機の連動運転が必要のない状況においても運転信号が無線送信されてしまうので、無駄な電力を消費してしまうという課題が存在していた。また、特許文献２に開示された無線連動システムでは、リモコン送信器が別体で構成されていることから当該リモコン送信器を紛失してしまう虞が存在していた。なお、特許文献２には、リモコン送信器の紛失防止に対して配慮がなされていることが開示されているが、この配慮は不十分であり、依然としてリモコン送信器を紛失してしまう可能性が存在していた。さらに、特許文献２に開示されたリモコン送信器の場合、電源としての電池の交換が必須となるため、使い勝手が良くないという課題も存在している。
【０００６】
本発明は、上述した従来技術に存在する種々の課題に鑑みて成されたものであり、その目的は、無駄な電力消費をすることなく、使い勝手の良い電動工具および集塵機連動機能付き電動工具システムを提供することにある。
【課題を解決するための手段】
【０００７】
以下、本発明について説明する。なお、本発明の理解を容易にするために添付図面の参照番号を括弧書きにて付記するが、それにより本発明が図示の形態に限定されるものではない。
【０００８】
本発明に係る電動工具（１０）は、駆動源であるモータを内部に収納するハウジング（１２）と、前記ハウジング（１２）に設置されることで操作者からの把持を受けるハンドル部（１３）と、前記モータからの駆動力を伝達されて駆動する工具（１４）と、別装置である集塵機（４０）とホース（３０）を介して接続するためのホース接続部（２１）と、を備え、運転動作に伴い連動指令を無線によって前記集塵機（４０）に送信することで、当該連動指令の受信によって連動運転を行う前記集塵機（４０）との無線連動運転を行う電動工具（１０）であって、当該電動工具（１０）の運転動作に伴う連動指令の送信／非送信を選択できる連動指令ボタン（１８ａ，１８ｂ，１１８ａ）を有する連動選択パネル（１８，１１８）を設けたことを特徴とするものである。
【０００９】
また、本発明に係る電動工具（１０）において、前記連動選択パネル（１８，１１８）は、連動指令の送信／非送信を選択できる連動指令ボタン（１８ａ，１８ｂ，１１８ａ）の他に、当該電動工具（１０）の運転動作によらずに前記集塵機（４０）の運転動作指令を送信できる連続運転指令ボタン（１８ｃ，１８ｄ，１１８ｃ）を含むこととすることができる。
【００１０】
さらに、本発明に係る電動工具（１０）において、当該電動工具（１０）は、電動丸鋸であって、前記連動選択パネル（１８）は、前記ハンドル部（１３）の下方であって、前記ハウジング（１２）における前記ハンドル部（１３）が設置された箇所の上面の位置に配置されていることとすることができる。
【００１１】
さらに、本発明に係る電動工具（１０）において、当該電動工具（１０）は、電動丸鋸であって、前記連動選択パネル（１１８）は、前記ハンドル部（１３）の前方前面の位置に配置されていることとすることができる。
【００１２】
またさらに、本発明に係る集塵機連動機能付き電動工具システム（１００）は、上述した電動工具（１０）と、前記電動工具（１０）が備える前記ホース接続部（２１）にホース（３０）を介して接続される集塵機（４０）と、によって構成されるものである。
【発明の効果】
【００１３】
本発明によれば、無駄な電力消費をすることなく、使い勝手の良い電動工具および集塵機連動機能付き電動工具システムを提供することができる。
【図面の簡単な説明】
【００１４】
【図１】本実施形態に係る集塵機連動機能付き電動工具システムの全体構成を示した外観斜視図である。
【図２】本実施形態に係る電動工具の後方上面側から見た場合の外観斜視図である。
【図３】本実施形態に係る電動工具の左側面図である。
【図４】図３中のＩＶ−ＩＶ線断面図である。
【図５】本実施形態に係る電動工具が備える連動選択パネルを示した図である。
【図６】本発明が取り得る多様な変形形態の一例を示す図であり、正面前方斜めやや上方から見た場合の外観斜視図を示している。
【図７】本発明が取り得る多様な変形形態の一例を示す図であり、正面図を示している。
【図８】本発明に係る電動工具に設置可能な連動選択パネルの一例を示した図である。
【発明を実施するための形態】
【００１５】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１６】
まず、図１を用いて、本実施形態に係る集塵機連動機能付き電動工具システム１００の全体構成を示す。ここで、図１は、本実施形態に係る集塵機連動機能付き電動工具システム１００の全体構成を示した外観斜視図である。本実施形態に係る集塵機連動機能付き電動工具システム１００は、電動工具１０と、この電動工具１０が備えるホース接続部２１にホース３０を介して接続される集塵機４０と、によって構成されるものであり、電動工具１０側から無線送信される連動指令等の無線信号によって集塵機４０の運転動作を制御し、電動工具１０と集塵機４０が連動運転を行うシステム構成となっている。
【００１７】
次に、図２〜図５を参照図面に加えることで、本実施形態に係る集塵機連動機能付き電動工具システム１００を構成する電動工具１０の具体的構成について、説明を行う。ここで、図２は、本実施形態に係る電動工具１０の後方上面側から見た場合の外観斜視図であり、図３は、本実施形態に係る電動工具１０の左側面図であり、図４は、図３中のＩＶ−ＩＶ線断面図である。また、図５は、本実施形態に係る電動工具１０が備える連動選択パネルを示した図である。
【００１８】
なお、本明細書では、説明の便宜のために、電動工具１０の方向を、電動工具１０の通常の進行方向を「前」、進行方向の反対方向を「後」と定義し、また、電動工具１０の通常の使用状態の方向に基づいて「上・下」と定義し、説明することとする。
【００１９】
本実施形態に係る電動工具１０は、電動丸鋸であって、被加工材上に載置される定盤１１と、駆動源である不図示のモータを内部に収納するハウジング１２と、ハウジング１２に設置されることで操作者からの把持を受けるハンドル部１３と、不図示のモータからの駆動力を伝達されて回転駆動する工具としての丸鋸刃１４と、別装置である集塵機４０とホース３０を介して接続するためのホース接続部２１と、を備えて構成されている。
【００２０】
定盤１１は、概略矩形形状をした金属製の平板として構成されている。定盤１１の下側の面は平面として構成されており、この平面として構成される定盤１１の下面が被加工材上に載置され、被加工材の上面に沿って摺動されることにより、電動工具１０のスムーズな移動操作ができるようになっている。また、定盤１１の略中央位置には、後述する丸鋸刃１４およびロアーガード１５を配置するための開口部（不図示）が形成されている。この不図示の開口部は、丸鋸刃１４およびロアーガード１５を配置可能な最小限の範囲で開けられており、電動工具１０における動作の基準となる定盤１１の剛性を維持しながらも、丸鋸刃１４およびロアーガード１５といった切断作用や安全作用を実現する機器の動作を実行可能としている。
【００２１】
ハウジング１２は、定盤１１の上方に配置されており、ハウジング１２の内部には、駆動源となるモータ（不図示）が設置されている。不図示のモータが有するモータ軸（不図示）が回転運動を行うことにより、その回転運動は、不図示の駆動機構を介して丸鋸刃１４の鋸刃回転軸（不図示）へと伝達され、丸鋸刃１４が回転運動を行うこととなる。駆動機構は、公知の種々の機構を適用することができる。なお、本実施形態の場合、不図示のモータへの電源の供給は、電池パック１６によって行われるが、電源コードを用いて電源供給を行うことも可能である。
【００２２】
また、ハウジング１２には、操作者からの把持を受けるハンドル部１３が接続されている。ハンドル部１３には、不図示のモータを起動させるトリガースイッチ１３ａが設置されており、操作者は、ハンドル部１３を把持しながらトリガースイッチ１３ａを押し込むことで、電動工具１０の運転を実行可能となっている。
【００２３】
さらに、丸鋸刃１４には、初期状態のときには定盤１１の下面から突出した丸鋸刃１４を覆うように設けられるとともに、被加工材の切断作業を行うときには当該被加工材に押されることで丸鋸刃１４の周囲から退避するように構成されたロアーガード１５が設置されている。このロアーガード１５は、丸鋸刃１４の回転中心と同じ回転中心を有して設置されており、丸鋸刃１４に作業者が誤って触れるのを防止するために設けられている。
【００２４】
またさらに、丸鋸刃１４には、丸鋸刃１４の上方を覆うように取り付けられたソーカバー１７が設置されている。このソーカバー１７は、丸鋸刃１４によって被加工材が切断された際に発生する切断屑をホース接続部２１に誘導し、集塵機４０によって効率的に吸引させるために機能する部材であり、ハウジング１２の一部位を構成するものである。
【００２５】
以上説明した構成を有する本実施形態に係る電動工具１０には、ハンドル部１３の下方であって、ハウジング１２におけるハンドル部１３が設置された箇所の上面の位置に、連動選択パネル１８が配置されている（図２および図４参照）。そして、この連動選択パネル１８の具体的構成が、図５によって示されている。
【００２６】
図５に示すように、本実施形態に係る連動選択パネル１８は、集塵機４０に対する連動指令の送信／非送信を選択できる連動指令ボタンである連動指令ＯＮボタン１８ａと連動指令ＯＦＦボタン１８ｂを有している。また、本実施形態に係る連動選択パネル１８は、連動指令の送信／非送信を選択できる連動指令ボタン（連動指令ＯＮボタン１８ａと連動指令ＯＦＦボタン１８ｂ）の他に、電動工具１０の運転動作によらずに集塵機４０の運転動作指令を送信できる連続運転指令ボタンである連続運転指令ＯＮボタン１８ｃと連続運転指令ＯＦＦボタン１８ｄを有している。以下、連動指令ボタン（連動指令ＯＮボタン１８ａと連動指令ＯＦＦボタン１８ｂ）と連続運転指令ボタン（連続運転指令ＯＮボタン１８ｃと連続運転指令ＯＦＦボタン１８ｄ）の使用方法について説明する。
【００２７】
まず、図１で示すような電動工具１０と集塵機４０をホース３０で接続した状態で、集塵機４０の主電源をＯＮにする。この状態から、電動工具１０の連動選択パネル１８の連動指令ＯＮボタン１８ａを押すと連動運転が可能な状態となるので、操作者が、電動工具１０のハンドル部１３を把持しながらトリガースイッチ１３ａを押し込むと、電動工具１０の運転が実行されるが、電動工具１０はこの運転動作に伴い連動指令を無線によって集塵機４０に対して送信するので、集塵機４０が稼働して電動工具１０と集塵機４０の連動運転が実行される。
【００２８】
電動工具１０と集塵機４０の連動運転が実行された状態から操作者がトリガースイッチ１３ａの押し込みを解除すると、電動工具１０の動作が停止されるとともに集塵機４０の動作も停止する。なおこのとき、集塵機４０の動作停止を電動工具１０の動作停止に対して一定時間遅延させることで、集塵機能を適切に発揮させるようにすることもできる。
【００２９】
以上の状態から、連動選択パネル１８の連動指令ＯＦＦボタン１８ｂを押して連動運転を解除すると、この状態から操作者が電動工具１０のハンドル部１３を把持しながらトリガースイッチ１３ａを押し込んだとしても、集塵機４０は連動運転を行わず、電動工具１０のみが運転動作を実行することとなる。
【００３０】
また、電動工具１０の連動選択パネル１８の連続運転指令ＯＮボタン１８ｃを押すと、連続運転が可能な状態となり、電動工具１０の運転状態にかかわらず、集塵機４０の運転が実行されることとなる。この場合、電動工具１０は停止状態のまま集塵機４０の吸い込み口の役割を果たすこととなる。また、連続運転指令ＯＮボタン１８ｃを押してＯＮの状態にしておき、集塵機４０が稼働した状態で電動工具１０からホース３０を取り外すと、ホース３０先端が集塵機４０の吸い込み口となり、掃除機としての使用が可能となる。
【００３１】
この状態から連続運転指令ＯＦＦボタン１８ｄを押すと、連続運転が停止して集塵機４０が動作停止する。
【００３２】
以上説明したように、本実施形態に係る集塵機連動機能付き電動工具システム１００と当該システムに用いられる電動工具１０によれば、電動工具１０の使用時に集塵機４０の連動運転が必要な場合には、連動指令ボタン（連動指令ＯＮボタン１８ａと連動指令ＯＦＦボタン１８ｂ）を押すことで簡単に連動運転動作を切り替えることができる。つまり、連動運転が不要である場合には、連動指令ＯＦＦボタン１８ｂを押すことで簡単に連動運転の状態を停止させることができるので、従来技術のように無駄な電力消費を抑えることが可能となる。かかる構成は、電池パック１６を用いる充電式の電動工具において、１回の充電での稼働時間を長くすることができるので、好ましい。
【００３３】
また、本実施形態では、連続運転指令ボタン（連続運転指令ＯＮボタン１８ｃと連続運転指令ＯＦＦボタン１８ｄ）を設けることで、従来技術では集塵機４０の側でしか操作できなかった集塵機４０の連続運転を、電動工具１０の側で選択・操作することが可能であり、様々な作業形態に対応できる点で好ましい。
【００３４】
さらに、本実施形態に係る電動工具１０の連動選択パネル１８は、操作がし易く、かつ、誤操作し難い場所に設置されているので、操作性に優れた構成であるということができる。また、従来技術のようなリモコン送信器を使用する場合に問題となった紛失の虞や電池交換の手間なども排除できるので、かかる点からも操作性に優れた構成であるということができる。
【００３５】
またさらに、本実施形態では、連動指令ボタンとして連動指令ＯＮボタン１８ａに加えて連動指令ＯＦＦボタン１８ｂを設けたので、例えば、無線信号による連動指令の際に他の作業者が使用している集塵機が誤動作を行った場合などのトラブル発生時にも、連動指令ＯＦＦボタン１８ｂの存在によって適切な対処が可能となる。つまり、本実施形態に係る集塵機連動機能付き電動工具システム１００は、電子機器の誤動作発生時にも好適に対処可能な構成を備えている。
【００３６】
以上、本発明の好適な実施形態について説明したが、本発明の技術的範囲は上記実施形態に記載の範囲には限定されない。上記実施形態には、多様な変更又は改良を加えることが可能である。
【００３７】
例えば、上述した実施形態に係る電動工具１０では、連動選択パネル１８は、ハンドル部１３の下方であって、ハウジング１２におけるハンドル部１３が設置された箇所の上面の位置に配置されていたが、本発明に係る連動選択パネルの設置位置は、上述した実施形態の位置には限定されない。本発明に係る連動選択パネルの設置位置は、電動工具１０のあらゆる場所に設定することが可能である。例えば、図６および図７で示すように、連動選択パネル１１８は、ハンドル部１３の前方前面の位置に配置することが可能である。かかる位置であっても、連動選択パネル１１８は、操作がし易く、かつ、誤操作し難いという機能を発揮し得るので、操作性に優れているという本発明の作用効果を発揮できる。なお、図６および図７は、本発明が取り得る多様な変形形態の一例を示す図であり、図６が正面前方斜めやや上方から見た場合の外観斜視図を示しており、図７が正面図を示している。
【００３８】
また、上述した実施形態では、本実施形態に係る連動選択パネル１８が備えるボタンとして、連動指令ボタン（連動指令ＯＮボタン１８ａと連動指令ＯＦＦボタン１８ｂ）と連続運転指令ボタン（連続運転指令ＯＮボタン１８ｃと連続運転指令ＯＦＦボタン１８ｄ）という、４つのボタンが設置された場合を例示して説明を行ったが、例えば、図８で示すように、連動指令ボタンを１つのボタンでＯＮ／ＯＦＦできるように連動指令ＯＮ／ＯＦＦボタン１１８ａとして構成するとともに、連続運転指令ボタンを１つのボタンでＯＮ／ＯＦＦできるように連続運転指令ＯＮ／ＯＦＦボタン１１８ｃとして構成することもできる。かかる構成の採用によって、コンパクト化された連動選択パネル１１８が実現され、連動選択パネル１１８の設置箇所の自由度が向上することとなり好ましい。なお、図８は、本発明に係る電動工具に設置可能な連動選択パネルの一例を示した図である。
【００３９】
また、上述した実施形態では、電動工具１０が電動丸鋸として構成される場合を例示して説明したが、本発明に係る電動工具は電動丸鋸には限られず、あらゆる形態の電動工具に対して適用可能である。例えば、電動サンダや電動ポリッシャー、電動グラインダーなどの電動工具に対しても、本発明の適用が可能である。
【００４０】
その様な変更又は改良を加えた形態も本発明の技術的範囲に含まれ得ることが、特許請求の範囲の記載から明らかである。
【符号の説明】
【００４１】
１０  電動工具、１１  定盤、１２  ハウジング、１３  ハンドル部、１３ａ  トリガースイッチ、１４  丸鋸刃、１５  ロアーガード、１６  電池パック、１７  ソーカバー、１８，１１８  連動選択パネル、１８ａ  連動指令ＯＮボタン、１８ｂ  連動指令ＯＦＦボタン、１８ｃ  連続運転指令ＯＮボタン、１８ｄ  連続運転指令ＯＦＦボタン、２１  ホース接続部、３０  ホース、４０  集塵機、１１８ａ  連動指令ＯＮ／ＯＦＦボタン、１１８ｃ  連続運転指令ＯＮ／ＯＦＦボタン、１００  集塵機連動機能付き電動工具システム。
【図１】
2018176315.tif 000003
【図２】
2018176315.tif 000004
【図３】
2018176315.tif 000005
【図４】
2018176315.tif 000006
【図５】
2018176315.tif 000007
【図６】
2018176315.tif 000008
【図７】
2018176315.tif 000009
【図８】
2018176315.tif 000010